(57)【要約】【課題】天井裏に配置されたヒートシンクの放熱性を高めることのできる照明装置を提供する。【解決手段】天井２の開口部３を介して前記天井に取り付けられる照明装置１である。照明装置１は、レーザ光を発する光源６０と、光源６０を収容した状態で天井裏４に配置されて、当該光源６０からの熱を放熱するヒートシンク７０と、光源６０が発したレーザ光を導光する光ファイバ４０と、光ファイバ４０が導光したレーザ光を異なる波長に変換して所定の色の光を発する灯具ユニット２０とを備える。ヒートシンク７０は、天井裏４において光源６０と開口部３との位置関係を調整可能な調整機構７３を有する。【選択図】図１
2018018709.tif 000002
【特許請求の範囲】
【請求項１】
天井の開口部を介して前記天井に取り付けられる照明装置であって、
レーザ光を発する光源と、
前記光源を収容した状態で天井裏に配置されて、当該光源からの熱を放熱するヒートシンクと、
前記光源が発した前記レーザ光を導光する光ファイバと、
前記光ファイバが導光した前記レーザ光を異なる波長に変換して所定の色の光を発する灯具ユニットと、を備え、
前記ヒートシンクは、前記天井裏において前記光源と前記開口部との位置関係を調整可能な調整機構を有する
照明装置。
【請求項２】
前記ヒートシンクは、複数の前記光源を個別に収容して相互に開閉する複数の開閉部を有し、
前記調整機構は、前記複数の開閉部を閉ざして複数の前記光源を近づけた第一状態から、前記複数の開閉部を開いて複数の前記光源を互いに前記第一状態よりも遠ざけた第二状態とすることで、前記光源と前記開口部との位置関係を調整する
請求項１に記載の照明装置。
【請求項３】
前記ヒートシンクは、前記第一状態では前記開口部に挿入可能な形状となり、前記第二状態では前記開口部に係止可能な形状となる
請求項２に記載の照明装置。
【請求項４】
前記調整機構は、前記第二状態にある前記複数の開閉部を、前記ヒートシンクが前記天井裏に配置された状態で前記第一状態に復帰させる構造を有する
請求項２または３に記載の照明装置。
【発明の詳細な説明】
【技術分野】
【０００１】
本発明は、レーザ光を光源とする照明装置に関する。
【背景技術】
【０００２】
従来、レーザ光を励起光として蛍光体を発光させ、所望の光色に変換して照明する技術が知られている（例えば、特許文献１参照）。このような技術を照明装置に適用した場合、レーザ光を照射するレーザユニットと、レーザ光を起因とした照明光を発する灯具ユニットとを別体にすることができる。これにより、灯具を小型にすることが可能となる。灯具が小型化されることにより、照明空間のより多様な意匠性を実現することができる。
【先行技術文献】
【特許文献】
【０００３】
【特許文献１】特開２０１３−２５４６８９号公報
【発明の概要】
【発明が解決しようとする課題】
【０００４】
ここで、照明装置の設置時においては、天井の開口部からレーザユニットを挿入して天井裏に配置する場合がある。レーザユニットは、レーザ光を発する半導体レーザ素子と、当該半導体レーザ素子を冷やすためのヒートシンクとを備えているが、開口部に進入可能とするべく、ヒートシンクを小さく形成する必要がある。ヒートシンクを小さくしてしまうと、ヒートシンク全体の放熱量も小さくなり、半導体レーザ素子を確実に冷却できないおそれがある。
【０００５】
このため、本発明の課題は、天井裏に配置されたヒートシンクの放熱性を高めることのできる照明装置を提供することである。
【課題を解決するための手段】
【０００６】
本発明の一態様に係る照明装置は、天井の開口部を介して前記天井に取り付けられる照明装置であって、レーザ光を発する光源と、光源を収容した状態で天井裏に配置されて、当該光源からの熱を放熱するヒートシンクと、光源が発したレーザ光を導光する光ファイバと、光ファイバが導光したレーザ光を異なる波長に変換して所定の色の光を発する灯具ユニットと、を備え、ヒートシンクは、天井裏において光源と開口部との位置関係を調整可能な調整機構を有する。
【発明の効果】
【０００７】
本発明によれば、天井裏に配置されたヒートシンクの放熱性が高められる照明装置を提供することができる。
【図面の簡単な説明】
【０００８】
【図１】実施の形態に係る照明装置の使用態様を示す断面図である。
【図２】実施の形態に係るレーザユニットの開状態を示す断面図である。
【図３】実施の形態に係るレーザユニットの閉状態を示す断面図である。
【図４】実施の形態に係るレーザユニットの閉状態を示す斜視図である。
【図５】変形例１に係るヒートシンクの開状態を示す斜視図である。
【図６】変形例１に係るヒートシンクの開状態から閉状態に切り替わる途中の状態を示す斜視図である。
【図７】変形例２に係るヒートシンクの開状態から閉状態に切り替わる途中の状態を示す斜視図である。
【図８】変形例３に係るヒートシンクの閉状態を示す斜視図である。
【図９】変形例３に係るヒートシンクの開状態を示す斜視図である。
【発明を実施するための形態】
【０００９】
以下では、本発明の実施の形態に係る照明装置について、図面を用いて説明する。なお、以下に説明する実施の形態は、いずれも本発明の好ましい一具体例を示すものである。従って、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
（実施の形態）
以下、実施の形態について説明する。
【００１２】
［照明装置の構成］
図１は、実施の形態に係る照明装置の使用態様を示す断面図である。
【００１３】
図１に示すように、照明装置１は、天井２の開口部３を介して当該天井２に取り付けられるスポットライト型のレーザ照明装置である。照明装置１は、レーザユニット１０と、灯具ユニット２０と、電源ユニット（図示省略）とを備えている。レーザユニット１０と灯具ユニット２０とは、光ファイバ４０によって光学的に接続されている。また、レーザユニット１０と電源ユニットは電源ケーブル（図示省略）によって電気的に接続されている。
【００１４】
次に、レーザユニット１０について図２〜図４を参照して説明する。図２は、実施の形態に係るレーザユニット１０の開状態を示す断面図である。図３は、実施の形態に係るレーザユニット１０の閉状態を示す断面図である。図４は、実施の形態に係るレーザユニット１０の閉状態を示す斜視図である。
【００１５】
レーザユニット１０は、２つの光源６０と、ヒートシンク７０とを備えている。光源６０は、レーザ光を発する光源である。光源６０は、例えば、青紫〜青色（４３０〜４９０ｎｍ）の波長のレーザ光を放射する半導体レーザ素子である。光源６０は、図示しない配線によって、電源ケーブルを介して電源ユニットに電気的に接続されている。光源６０が発したレーザ光は、光ファイバ４０の一端面である光入射面から光ファイバ４０内に入射して、光ファイバ４０の他端面である光出射面から放出される。このため、光ファイバ４０の光入射面は、光源６０に対向するように配置されている。光源６０と光ファイバ４０とは１対１の関係である。このため、光源６０が２つ設けられた本実施の形態の場合では、光ファイバ４０も２つ設けられている。
【００１６】
図１〜図４に示すように、ヒートシンク７０は、光ファイバ４０の一部及び光源６０を収容した状態で天井裏４に配置されて、光源６０からの熱を放熱するヒートシンクである。具体的には、ヒートシンク７０は、基部７１と、２つの開閉部７２と、調整機構７３とを備えている。また、ヒートシンク７０は、例えばアルミニウム、銅などの熱伝導性が比較的高い金属により形成されている。
【００１７】
基部７１は、開口部３に挿入されて天井２に固定される部位である。基部７１の下端部における外周面には、全周にわたって鍔部７１１が形成されている。この鍔部７１１は、天井２における開口部３の周囲に重なって、天井２に固定される。また、基部７１の上端部には、２つの開閉部７２を個別に軸支する軸部７１２が設けられている。そして、基部７１には、上下方向に貫通して、２つの光ファイバ４０が挿入される貫通孔（図示省略）が形成されている。なお、図１に示すように、２つの光ファイバ４０は、基部７１の下方で束ねられており、その状態で灯具ユニット２０に接続されている。
【００１８】
２つの開閉部７２は、２つの光源６０を個別に収容して、相互に開閉する長尺状の部材である。開閉部７２は、下端部が基部７１の軸部７１２によって軸支されていることで、当該軸部７１２を中心に回動自在となっている。
【００１９】
開閉部７２は、略半円柱状に形成されており、その先端面には長手方向に延在する凹部７２１が形成されている。凹部７２１は、開閉部７２の中央部付近まで延在しており、その奥側の端面には光源６０が取り付けられている。光源６０が開閉部７２に接触しており、これにより光源６０が発した熱が開閉部７２に伝導し、開閉部７２から放熱される。なお、開閉部７２の表面には、放熱性を高めるためのフィンが形成されていてもよい。また、開閉部７２は、図３及び図４に示すように閉状態である場合には天井２に対して直交するように立設している。他方、開閉部７２は、図１及び図２に示すように開状態である場合には天井２に対して傾斜している。
【００２０】
また、光源６０に接続された光ファイバ４０の一部は、図１に示すように凹部７２１内に配置されている。つまり、光ファイバ４０は、その光入射面を光源６０に対向させた状態で、凹部７２１を介して開閉部７２の先端面から、基部７１の貫通孔に向かって配線されている。
【００２１】
調整機構７３は、天井裏４において光源６０と灯具ユニット２０との位置関係を調整可能とする機構である。具体的には、調整機構７３は、２つの開閉部７２を閉ざして２つの光源６０を近づけた閉状態（第一状態）から、２つの開閉部７２を開いて２つの光源６０を互いに閉状態よりも遠ざけた開状態（第二状態）とすることで、光源６０と灯具ユニット２０との位置関係を調整する機構である。調整機構７３は、操作部７３１と、操作部７３１の動作によって２つの開閉部７２を回動させる一対のリンク体７３２とを備えている。
【００２２】
操作部７３１は例えばネジを備えており、そのネジ頭が基部７１の下面から露出している。ネジ頭が回転されることで、ネジが基部７１に対して進退する。操作部７３１には、ネジの進退移動を一対のリンク体７３２に伝達するリンク機構（図示省略）が設けられている。
【００２３】
一対のリンク体７３２は、操作部７３１のリンク機構の動作によって昇降する部材である。リンク体７３２の先端部は開閉部７２の下端部に連結されている。リンク体７３２は、操作部７３１のリンク機構の動作によって上昇すると、開閉部７２を押し上げることで回動させ、当該開閉部７２を傾斜させる。他方、リンク体７３２は、操作部７３１のリンク機構の動作によって下降すると、開閉部７２を引き下げることで回動させ、当該開閉部７２を立設させる。一対のリンク体７３２は、操作部７３１の動作によって同じ動作を行うので、２つの開閉部７２を同時に傾斜させて開状態としたり、２つの開閉部７２を同時に立設させて閉状態とする。このように、操作部７３１の動作によって、第一状態にある２つの開閉部７２を第二状態にしたり、第二状態にある２つの開閉部７２を第一状態にすることができる。また、操作部７３１のネジの進退量を調整すれば、開閉部７２の傾きを調整することも可能である。
【００２４】
そして、２つの開閉部７２が開状態であると、閉状態である場合よりも２つの光源６０が離れるために、互いの熱が他方に影響を及ぼしにくくなる。また、閉状態よりも開状態の方が、ヒートシンク７０全体の包絡体積を大きくすることができるので、放熱性が高められることになる。また、２つの開閉部７２が開状態であると、施工後においては天井２の開口部３よりも大きな形状となっているので、基部７１が万が一開口部３から外れたとしても、２つの開閉部７２が開口部３に係止されるので、天井２からの脱落を防止することができる。
【００２５】
一方、２つの開閉部７２が閉状態であると、ヒートシンク７０は開口部３に挿入可能な形状となる。具体的には、閉状態となった２つの開閉部７２を長手方向から見た場合の外形は、開口部３内に収まる形状となっている。つまり、施工時においては、ヒートシンク７０を閉状態としておけば、開口部３を介してヒートシンク７０を天井裏４に配置することができる。
【００２６】
次に、灯具ユニット２０について図１を参照して説明する。
【００２７】
灯具ユニット２０は、レーザ光を異なる波長に変換して所定の色の光を発するスポットライトである。具体的には、灯具ユニット２０は、筐体２１と、保持部２２と、発光部８０と、レンズ９０と、支持部材９５とを備えている。
【００２８】
筐体２１は、保持部２２と、発光部８０と、レンズ９０とを収容する外観が円柱状の筐体である。筐体２１は、例えばアルミニウム、銅などの熱伝導性が比較的高い金属により形成されている。
【００２９】
保持部２２は、２つの光ファイバ４０を保持する円柱状の部材であり、筐体２１の中心軸に沿うように筐体２１内に収容されている。保持部２２には、当該保持部２２の中心軸に沿うように２つの光ファイバ４０が設けられており、保持部２２の一端部から２つの光ファイバ４０の光出射面が露出している。
【００３０】
発光部８０は、２つの光ファイバ４０の光出射面に対向するように筐体２１内に収容されている。発光部８０は、２つの光ファイバ４０の光出射面からレーザ光が照射されることによりレーザ光を異なる波長に変換して、所定の色の光を発する光学素子である。発光部８０は、基板と、当該基板に積層された蛍光部とを備えている。基板は、蛍光部を保持するものであり、例えばガラス、サファイアなどの透光性材料から形成されている。蛍光部は、例えば、レーザ光によって励起されて蛍光を発する蛍光体の粒子を分散状態で備えており、レーザ光の照射により蛍光体が蛍光を発する。具体的に、蛍光部は、透明な樹脂やガラスからなる基材の内部に蛍光体の粒子が分散されているもの、または、蛍光体の粒子を固めたもの等を例示できる。つまり蛍光部は、レーザ光を蛍光に変換する波長変換部材であると言える。
【００３１】
本実施の形態の場合、蛍光部は白色光を放射するものであり、レーザ光の照射によって赤色を発光する第一蛍光体、青色を発光する第二蛍光体、緑色を発光する第三蛍光体の３種類の蛍光体が適切な割合で含まれている。
【００３２】
蛍光体の種類及び特性は特に限定されるものではないが、比較的高い出力のレーザ光が励起光となるため、熱耐性が高いものが望ましい。また、蛍光体を分散状態で保持する基材の種類は特に限定されるものではないが、透明性が高ければ、白色光の放射効率も高くなるのでよい。また、比較的高い出力のレーザ光が入射するため、耐熱性の高いものがよい。
【００３３】
レンズ９０は、発光部８０から発せられた光の配光を制御する配光制御レンズである。レンズ９０における発光部８０との対向面は、発光部８０から発せられた光を極力漏らすことなくレンズ９０内に取り込むことができる形状となっている。このレンズ９０の対向面の形状は、レンズ９０と発光部８０との位置関係（間隔）が一定であることを前提として最適化されている。
【００３４】
支持部材９５は、天井２に取り付けられて、筐体２１を支持する部材である。支持部材９５は、筐体２１の姿勢を調整できるように当該筐体２１を支持している。筐体２１の姿勢を調整することで、灯具ユニット２０が発する光の照射位置を調整することが可能である。
【００３５】
［照明装置の施工方法］
次に、照明装置１の施工方法について説明する。
【００３６】
まず、作業者は、図示しない電源ユニットを天井２の開口部３から挿入して天井裏４に配置する。そして、作業者は、予め天井裏４に設けられている電気ケーブル（図示省略）と、電源ユニットとを電気的に接続する。
【００３７】
次いで、作業者は、レーザユニット１０のヒートシンク７０を閉状態としてから、開口部３にヒートシンク７０の２つの開閉部７２及び基部７１を挿入する。作業者は、基部７１の鍔部７１１を天井２に当接させて、当該鍔部７１１を天井２に固定する。このとき、調整機構７３に備わるネジのネジ頭が基部７１の下面から露出しているので、作業者は、ネジ頭を工具によって回転させることで、２つの開閉部７２を閉状態から開状態に切り替える。これにより、天井裏４において光源６０と開口部３との位置関係が調整される。
【００３８】
次いで、図１に示すように、作業者は、灯具ユニット２０の保持部２２に光ファイバ４０を取り付けて、レーザユニット１０と灯具ユニット２０とを光学的に接続し、灯具ユニット２０を天井２に取り付ける。これにより、照明装置１の施工が完了する。
【００３９】
［照明装置の取り外し手順］
次に、照明装置１の取り外し手順について説明する。
【００４０】
照明装置１のメンテナンス時においては、天井２から照明装置１を取り外す場合がある。ここでは、照明装置１の取り外し手順について説明する。
【００４１】
取り外し時において、作業者はまず灯具ユニット２０を天井２から取り外す。その後、作業者は、ヒートシンク７０が天井裏４に配置された状態で、調整機構７３に備わるネジのネジ頭を工具によって回転させる。これにより、２つの開閉部７２が開状態から閉状態に切り替わる。上述したように閉状態では、ヒートシンク７０が開口部３に挿入可能な形状となる。この状態であれば、天井２に接触させることなく、ヒートシンク７０を開口部３から抜き出して取り外すことができる。ヒートシンク７０の取り外し時にヒートシンク７０を天井２と接触させないことができるので、天井２の損傷も防止することができる。
【００４２】
［効果など］
以上のように、本実施の形態に係る照明装置１は、天井２の開口部３を介して当該天井２に取り付けられる照明装置である。照明装置１は、レーザ光を発する光源６０と、光源６０を収容した状態で天井裏４に配置されて、当該光源６０からの熱を放熱するヒートシンク７０と、光源６０が発したレーザ光を導光する光ファイバ４０と、光ファイバ４０が導光したレーザ光を異なる波長に変換して所定の色の光を発する灯具ユニット２０と、を備える。ヒートシンク７０は、天井裏４において光源６０と開口部３との位置関係を調整可能な調整機構７３を有する。
【００４３】
この構成によれば、調整機構７３が光源６０と天井２の開口部３との位置関係を天井裏４で調整することができるので、施工時における光源６０と開口部３との位置関係と、施工後における光源６０と開口部３との位置関係を異ならせることができる。つまり、施工時においては光源６０と開口部３とを施工しやすい位置関係にして、施工後においては光源６０と開口部３とを放熱効率の高い位置関係にすることができる。したがって、天井裏４に配置されたヒートシンク７０の放熱性を高めることができる。
【００４４】
また、ヒートシンク７０は、複数の光源６０を個別に収容して相互に開閉する複数の開閉部７２を有している。調整機構７３は、複数の開閉部７２を閉ざして複数の光源６０を近づけた第一状態（閉状態）から、複数の開閉部７２を開いて複数の光源６０を互いに第一状態よりも遠ざけた第二状態（開状態）とすることで、光源６０と開口部３との位置関係を調整する。
【００４５】
この構成によれば、調整機構７３が複数の開閉部７２を閉状態から開状態に変更することができる。例えば、２つの開閉部７２が開状態であると、閉状態である場合よりも２つの光源６０が離れるために、互いの熱が他方に影響を及ぼしにくくなる。また、閉状態よりも開状態の方が、ヒートシンク７０全体の包絡体積を大きくすることができるので、放熱性が高められることになる。したがって、複数の光源６０を備えた場合であっても、天井裏4に配置されたヒートシンク７０の放熱性を高めることができる。
【００４６】
また、ヒートシンク７０は、第一状態（閉状態）では開口部３に挿入可能な形状となり、第二状態（開状態）では開口部３に係止可能な形状となる。
【００４７】
例えば２つの開閉部７２が閉状態であると、ヒートシンク７０は開口部３に挿入可能な形状となるので、開口部３を介してヒートシンク７０を天井裏４に配置することができる。他方、２つの開閉部７２が開状態であると、ヒートシンク７０は天井２の開口部３よりも大きくなって、開口部３に係止可能な形状となる。これにより、ヒートシンク７０の基部７１が万が一開口部３から外れたとしても、２つの開閉部７２が開口部３に係止されて、天井２からの脱落を防止することができる。
【００４８】
また、調整機構７３は、第二状態（開状態）にある複数の開閉部７２を、ヒートシンク７０が天井裏４に配置された状態で第一状態（閉状態）に復帰させる構造を有する。
【００４９】
この構成によれば、調整機構７３が開状態にある複数の開閉部７２を、ヒートシンク７０が天井裏４に配置された状態で閉状態に復帰させるので、天井２に接触させることなく、ヒートシンク７０を開口部３から抜き出して取り外すことができる。ヒートシンク７０の取り外し時にヒートシンク７０を天井２と接触させなければ、天井２の損傷も防止することができる。
【００５０】
［変形例１］
次に、本実施の形態に係る変形例１について図５及び図６を参照して説明する。図５は、変形例１に係るヒートシンク７０Ａの開状態を示す斜視図である。図６は、変形例１に係るヒートシンク７０Ａの開状態から閉状態に切り替わる途中の状態を示す斜視図である。
【００５１】
なお、以降の説明では、実施の形態に係る照明装置１と同一の部分に同一の符号を付してその説明を省略する。
【００５２】
上記実施の形態では、ヒートシンク７０の２つの開閉部７２が下端部を中心に回動することで開閉する場合を例示した。この変形例１では、ヒートシンク７０Ａの２つの開閉部７６が側端部を中心に回動することで開閉する場合について説明する。
【００５３】
図５及び図６に示すように、ヒートシンク７０Ａは、２つの開閉部７６と、調整機構７７とを備えている。開閉部７６は、略半円柱状に形成されており、その上端面には凹部７６３が形成されている。この凹部７６３内に光源６０が取り付けられている。また、２つの開閉部７６のうち、一方の開閉部７６１には、他方の開閉部７６２に対向する対向面にガイド溝７６４が形成されている。ガイド溝７６４は、調整機構７７の移動部７７１が案内される溝であり、上下方向に沿って形成されている。なお、ガイド溝７６４の下端部には、一方の開閉部７６の下面で開口した貫通孔が形成されている。
【００５４】
調整機構７７は、ヒンジ７７０と、移動部７７１と、連結軸７７２と、ボールジョイント７７３と、支持部７７４と、紐体７７５とを備えている。
【００５５】
ヒンジ７７０は、２つの開閉部７６のそれぞれの側端部に取り付けられており、このヒンジ７７０によって２つの開閉部７６が開閉するようになっている。ヒンジ７７０には、当該ヒンジ７７０を常に閉じる方向に付勢するバネ（図示省略）が設けられている。このバネによってヒンジ７７０は、２つの開閉部７６に対して常に閉じる方向の力を付与している。
【００５６】
移動部７７１は、ガイド溝７６４内で上下方向に移動自在な部材であり、連結軸７７２の一端部が回動自在に連結されている。連結軸７７２は、剛体からなる棒状部材であり、一端部が移動部７７１に連結され、他端部がボールジョイント７７３に連結されている。ボールジョイント７７３は、他方の開閉部７６２におけるヒンジ７７０が取り付けられた側とは反対側の側端部の下部に設けられており、連結軸７７２を任意の方向に回転自在に支持している。支持部７７４は、ガイド溝７６４の上部に配置されており、紐体７７５を支持する棒材である。紐体７７５は、支持部７７４で反転するようにガイド溝７６４内で引き回されている。紐体７７５の一端部は、移動部７７１に取り付けられており、他端部は、ガイド溝７６４の貫通孔を介して開閉部７６の外部に引き出されている。この紐体７７５の他端部は、図示しない巻き取り装置に接続されており、巻き取り装置によって紐体７７５が巻き取られるようになっている。
【００５７】
例えば、ヒートシンク７０Ａを図５に示す開状態から閉状態に切り替える場合には、作業者は紐体７７５を巻き取り装置で巻き取ることで、移動部７７１がガイド溝７６４に沿って上昇する。移動部７７１の上昇に追従して連結軸７７２の一端部も上昇するが、これにより、連結軸７７２の他端部がボールジョイント７７３を介して、他方の開閉部７６２を一方の開閉部７６１に引き寄せ、２つの開閉部７６が閉状態に移行する（図６参照）。そして、移動部７７１がガイド溝７６４の上端まで達すると、２つの開閉部７６が閉状態となる。閉状態となったら、作業者は、他方の開閉部７６２の外方から紐体７７５に対して留め具（図示省略）を取り付けることにより、紐体７７５の動作を規制する。これにより、移動部７７１が固定されるので、閉状態が維持されることになる。
【００５８】
一方、ヒートシンク７０Ａを閉状態から開状態に切り替える場合には、作業者は、紐体７７５から留め具を取り外せば、ヒンジ７７０の付勢力によって自動で２つの開閉部７６が開状態となる。
【００５９】
［変形例２］
次に、本実施の形態に係る変形例２について図７を参照して説明する。図７は、変形例２に係るヒートシンク７０Ｂの開状態から閉状態に切り替わる途中の状態を示す斜視図である。具体的には、図７は、図６に対応する図である。
【００６０】
上記変形例１では、紐体７７５によって移動部７７１を移動させる場合を例示した。この変形例１では、紐体７７５以外の部材で移動部７７１を移動させる場合について説明する。なお、以降の説明では、変形例１に係るヒートシンク７０Ａと同一の部分に同一の符号を付してその説明を省略する。
【００６１】
変形例２に係るヒートシンク７０Ｂの調整機構７７ｂは、変形例１に係る調整機構７７とは異なり、支持部７７４と、紐体７７５とがなく、代わりに棒体７７６が設けられている。この棒体７７６は、貫通孔を介してガイド溝７６４内に進入可能な形状を有する剛体である。つまり、ヒートシンク７０Ｂを開状態から閉状態に切り替える場合には、作業者は、棒体７７６を貫通孔からガイド溝７６４に挿入して移動部７７１を押し上げれば、２つの開閉部７６が閉状態となる。閉状態となったら、作業者は、他方の開閉部７６２に対して棒体７７６を固定する。これにより、移動部７７１が固定されるので、閉状態が維持されることになる。
【００６２】
他方、ヒートシンク７０Ｂを開状態から閉状態に切り替える場合には、棒体７７６を貫通孔からガイド溝７６４を引き抜けば、ヒンジ７７０の付勢力によって自動で２つの開閉部７６が開状態となる。
【００６３】
［変形例３］
次に、本実施の形態に係る変形例２について図８及び図９を参照して説明する。図８は、変形例３に係るヒートシンク７０Ｃの閉状態を示す斜視図である。図９は、変形例３に係るヒートシンク７０Ｃの開状態を示す斜視図である。
【００６４】
上記実施の形態では、ヒートシンク７０の開閉部７２が半円柱状である場合を例示した。しかし開閉部の形状は閉状態時に開口部３に挿入可能となるのであればいかなる形状であっても構わない。この変形例３では、半円柱状以外の形状の開閉部７４を有するヒートシンク７０Ｃについて説明する。
【００６５】
変形例３に係るヒートシンク７０Ｃの２つの開閉部７４は、上面視略Ｃ字状に折り曲げ形成された板金体である。２つの開閉部７４は、開放された側が互いに対向するように、ヒートシンク７０Ｃの基部（図示省略）に取り付けられている。開閉部７４の下端部には、基部に軸支される軸孔７４３が形成されている。開閉部７４は、軸孔７４３を介して基部に軸支されることにより、当該基部に対して回動可能となる。なお、開閉部７４は、図示しないバネによって、常に開く方向に力が付勢されている。開閉部７４の内方の中央部には光源６０が取り付けられている。
【００６６】
また、変形例３に係る調整機構７５は、ワイヤ７８と滑車７９とを備えている。ワイヤ７８は、その一端部が２つの開閉部７４のうち、一方の開閉部７４１の上部に取り付けられている。滑車７９は、ワイヤ７８を案内する滑車であり、２つの開閉部７４のうち、他方の開閉部７４２の上部に取り付けられている。ワイヤ７８の他端部が作業者によって引っ張られることで、２つの開閉部７４の上部が引き寄せられて図８に示すように閉状態となる。また、ワイヤ７８に対する引っ張りが解除されると、バネによる付勢力によって２つの開閉部７４が図９に示すように開状態となる。
【００６７】
（その他）
以上、本発明に係る照明装置について、上記実施の形態及び変形例に基づいて説明したが、本発明は、上記の実施の形態及び変形例に限定されるものではない。
【００６８】
例えば、上記実施の形態では、スポットライト型の照明装置１を例示して説明したが、ヒートシンクが天井裏４に配置されるレーザ照明装置であれば、その形態は如何様でもよい。スポットライト型の照明装置１以外のレーザ照明装置としては、例えば、ダウンライト型の照明装置が挙げられる。
【００６９】
また、上記実施の形態では、１つのヒートシンク７０に光源６０が２つ設けられている場合を例示して説明したが、光源は１つであっても３つ以上であってもよい。光源が１つの場合であっても、当該光源と天井の開口部との位置関係が調整可能であれば、天井裏における放熱効率が高められる位置に光源を配置することができる。例えば、天井裏の上部に光源が配置されたままであると、暖められた空気が天井裏の上部に溜まるために光源が冷やされにくい。しかしながら、光源と天井の開口部との位置関係が調整可能であれば、施工直後よりも天井の開口部に対して光源を上下方向で近い位置に位置調整することができる。
【００７０】
また、光源が３つ以上である場合には、各光源が閉状態（第一状態）では近づき、開状態（第二状態）では遠ざかるようにヒートシンクの調整機構を構成しておく。具体的には、ヒートシンクの開閉部を光源の設置個数に対応した数だけ設け、各開閉部の開状態及び閉状態を切り替えできるように調整機構を構成すればよい。
【００７１】
その他、実施の形態及び変形例に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００７２】
１  照明装置
２  天井
３  開口部
４  天井裏
１０  レーザユニット
２０  灯具ユニット
４０  光ファイバ
６０  光源
７０、７０Ａ、７０Ｂ、７０Ｃ  ヒートシンク
７２、７４、７６、７４１、７４２、７６１、７６２  開閉部
７３、７５、７７、７７ｂ  調整機構
【図１】
2018018709.tif 000003
【図２】
2018018709.tif 000004
【図３】
2018018709.tif 000005
【図４】
2018018709.tif 000006
【図５】
2018018709.tif 000007
【図６】
2018018709.tif 000008
【図７】
2018018709.tif 000009
【図８】
2018018709.tif 000010
【図９】
2018018709.tif 000011